(57)【要約】【課題】  消耗品（用紙やインク）切れ等の装置エラーが発生したら直ちに設置先の管理者（店舗の従業員）に認識させることができる携帯型簡易端末装置を提供する。【解決手段】  特定装置の装置状態を受信可能な特定小電力型の無線通信手段と、前記無線通信手段による受信内容から、前記特定装置のエラー内容を認識する認識手段と、前記特定装置のエラー内容を表示する表示手段と、前記特定装置のエラー発生を音声により教示する音声教示手段と、を備えることを特徴とする。【選択図】  図１
2005033569.tif 000002
【特許請求の範囲】
【請求項１】
特定装置の装置状態を受信可能な特定小電力型の無線通信手段と、
前記無線通信手段による受信内容から、前記特定装置のエラー内容を認識する認識手段と、
前記特定装置のエラー内容を表示する表示手段と、
を備えることを特徴とする携帯型簡易端末装置。
【請求項２】
前記携帯型簡易端末装置は、特定装置のエラー発生を音声により教示する音声教示手段をさらに備えることを特徴とする請求項１に記載の携帯型簡易端末装置。
【請求項３】
前記携帯型簡易端末装置は、前記無線通信手段による受信電波から電力を発生させる電源発生回路を備えることを特徴とする請求項１または２に記載の携帯型簡易端末装置。
【請求項４】
請求項１ないし３のいずれかに記載の携帯型簡易端末装置と前記携帯型簡易端末装置と通信可能であって、装置エラーの内容を発信する無線送信手段を含むプリント供給装置と、
を備えることを特徴とするプリント供給システム。
【発明の詳細な説明】
【技術分野】
【０００１】
本発明は、自動販売機型プリント供給システムに関し、具体的には、プリント供給装置のエラーを認識する携帯型簡易端末装置に関する。
【背景技術】
【０００２】
自動販売機型プリント供給装置は、 装置に備えられたスキャナ、カメラ等の画像入力装置によって得られた画像データを処理してプリントするもの、装置内の記憶媒体にあらかじめ蓄積された画像データを処理してプリントするもの、サーバより通信回線によって受信された画像データを処理してプリントするもの、あるいはこれらが複合されたものが知られている（例えば、特許文献１参照）。
【０００３】
これらの装置は、装置に備えられた課金システムによって起動され、画像データの入力、編集、プリントが行われる仕組みになっている。
【０００４】
【特許文献１】特開２０００−２８０５６１号（第３頁、図１）
【発明の開示】
【発明が解決しようとする課題】
【０００５】
このような自動販売機型プリント供給装置においては、店舗等の設置先にて、用紙の補給、インクカートリッジの交換、金銭の回収を行なうことが必要である。通常これらの作業は設置先の管理者（店舗の従業員）が行なうが、利用状況によって、頻繁に行なわれることもあれば、稀に行なわれることもある。
【０００６】
こうした自動販売機型プリント供給装置では、消耗品（用紙やインク）切れ等の装置エラーが発生すると利用者（客）が使用できなくなるため、これらが発生したら直ちに対処しなければならないが、設置先の管理者（店舗の従業員）が常時装置を監視していることはできないという不都合があった。
【０００７】
また、消耗品（用紙やインク）切れ等の装置エラーが発生したままでは、自動販売機型プリント供給装置の利用ができないという問題があった。
【０００８】
本発明は以上のような問題に鑑みてなされたものであり、その目的は、消耗品（用紙やインク）切れ等の装置エラーが発生したら直ちに設置先の管理者（店舗の従業員）に認識させることができる携帯型簡易端末装置を提供することにある。
【課題を解決するための手段】
【０００９】
上記目的を達成するために本発明の携帯型簡易端末装置は、特定装置と通信可能な特定小電力型の無線通信手段と、前記無線通信手段による受信内容から、前記特定装置のエラー内容を認識する認識手段と、前記特定装置のエラー内容を表示する表示手段と、前記特定装置のエラー発生を音声化する音声手段と、を備えることを特徴とする。
【発明の効果】
【００１０】
この携帯型簡易端末装置によれば、例えば自動販売機型プリント供給装置に消耗品（用紙やインク）切れ等の装置エラーが発生したら直ちに設置先の管理者（店舗の従業員）に認識させることができる。また特に、店舗等の比較的限られた範囲で好適に適用可能である。
【発明を実施するための最良の形態】
【００１１】
以下、添付図面を参照して本発明の好適な実施の形態について詳細に説明する。
まず、本発明に係る携帯型簡易端末装置が適用可能な自動販売機型プリント供給装置の概要を説明する。
【００１２】
図６、図７は、本発明を適応可能な自動販売機型プリント供給装置の模式図であり、図６は斜視図、図７は装置構成を示すブロック図である。
【００１３】
この自動販売機型プリント供給装置は、筐体６００の内部に、タッチパネル付モニタ６０１と、後述する手順を行うプログラムを記憶し、それを実行して各部を制御するコンピュータ６０２と、コンピュータから送られてくる画像をプリントするプリンタ６０３と、コインを受け入れるコインベンダ６０４と、画像を入力するスキャナ６０５とを組込んでいる。そして、プリンタ６０３でプリントされた印刷物は出力口６１０から出力される。筐体６００の最上部には画像を取り込むカメラ６０６が備えられている。このカメラ６０６は筐体６００の内部に備えられてもよい。また、筐体６００の内部にモデム６０７が組み込まれてもよい。無停電電源６０８は筐体６００に組込まれた機器（６０１〜６０７）の電源バックアップのために用いられる。
【００１４】
この自動販売機型プリント供給装置は、利用者（客）がコインベンダ６０４に利用料金を投入するとタッチパネル付モニタ６０１の画面にメニューが表示され各種サービスが開始される。各種サービスとは、スキャナ６０５で読み込んだ画像やカメラ６０６で撮影した画像をコンピュータ６０２で処理を行ないプリンタ６０３でプリントを行なったり、コンピュータ６０２の記憶媒体６２０に蓄積された画像データや、モデム６０７でサーバ６３０と通信を行なって受信した画像データを、選択してコンピュータ６０２で処理を行ないプリンタ６０３でプリントを行なったりするものである。入力または選択した画像はタッチパネル付モニタ６０１の画面に表示されプリント前に確認することができる。また、プリンタ６０３は熱転写方式やインクジェット方式のカラープリンタであり、消耗品（用紙やインク）の補充が必要である。
【００１５】
次に、本発明に係るプリント供給システムの実施例について説明する。
［第１の実施例］
図１〜図３に本発明による第１の実施例の自動販売機型プリント供給装置の模式図を示す。
【００１６】
図１は自動販売機型プリント供給装置の構成を示すブロック図であり、図２はエラーコード情報の生成を示すブロック図であり、図３は自動販売機型プリント供給装置の簡易端末装置の斜視図である。
【００１７】
図１において、前述の図７と共通する部分は同じ番号で示している。本プリント供給システムの実施例においては、エラーを通信する無線通信装置１１０が備えられており、移動可能な簡易端末装置１００と通信を行なうことができる。この無線通信装置１１０は、サーバ６３０と通信する方式とは別のものであり、特定小電力型の無線通信装置である。簡易端末装置１００の内部には、無線通信装置１０１と、受信データの内容からエラー内容を認識し処理する認識手段である処理装置１０２と、エラー内容を表示するための表示手段である表示器１０３と、エラーの発生を発音する音声教示手段であるブザー１０４を備えている。なお、かかる処理装置１０２は内部に後述する動作に対応するプログラムが記憶され、またかかるプログラムを読み込み処理をするＣＰＵの処理部が備えられ、かかる処理部により簡易端末装置内部を制御し、自動販売機型プリント供給装置と通信を行う。また、処理装置１０２、表示器１０３、ブザー１０４はそれぞれ、認識手段、表示手段、音声教示手段の一例に過ぎず、他の形態であってもよい。
【００１８】
そして簡易端末装置１００はバッテリ１０５によって動作可能となっている。このため、設置先の管理者（店舗の従業員）が携帯することが可能となっている。ここで、無線通信装置１０１は、無線通信装置１１０と通信するための特定小電力型の無線通信装置である。
【００１９】
図２において、プリンタ６０３に消耗品（用紙やインク）切れ等のエラーが発生するとプリンタ６０３からコンピュータ６０２にエラーに対応したエラーコード情報が送られる。同様にコインベンダ６０４に金銭受入満杯等のエラーが発生するとコインベンダ６０４からコンピュータ６０２にエラーに対応したエラーコード情報が送られる。これらのエラーコード情報の形式が装置によって異なっていても、コンピュータ６０２にて処理を行ないエラーコード情報を再生成して無線通信装置１１０からエラーデータとして送信する。
【００２０】
これに対して、簡易端末装置１００では、送信されてくるエラーデータに対応する表示データテーブルを内部に記憶しており、かかる表示データテーブルを参照して、受信したエラーデータに処理を行ない、エラーメッセージを表示器１０３で表示すると共にブザー１０４を発音する。
【００２１】
尚、プリンタ６０３に限らず、筐体６００の内部に組み込まれたほかの各装置のエラーコード情報もコンピュータ６０２に送れば、プリント供給装置の全てのエラーコード情報をエラーデータとして簡易端末装置側へ送信することも可能である。
【００２２】
以上、説明したように本発明の第１の実施例によれば、自動販売機型プリント供給装置に消耗品（用紙やインク）切れ等の装置エラーが発生したら直ちに簡易端末装置を保持している管理者（例えば店舗の従業員など）に装置エラーを認識させることができる。また、簡易端末装置は携帯することができるため、設置先の管理者（店舗の従業員）が自動販売機型プリント供給装置から離れていても装置エラーの発生が認識できる。
【００２３】
［第２の実施例］
前述の第１の実施例では、自動販売機型プリント供給装置の簡易端末装置はバッテリを備えていたが、ここでは簡易端末装置はバッテリを不要にできるようにしている。
【００２４】
図４は本発明の第２の実施例の自動販売機型プリント供給装置の簡易端末装置の構成を示すブロック図である。
【００２５】
簡易端末装置４００は、受信アンテナ４０１と、通信回路４０２と、前述と同様の構成の処理回路４０３と、エラー内容に対応して点灯する４つのＬＥＤ（４０５〜４０８）とを備えている。４つのエラー内容だけを簡略に表示することで処理回路４０３を簡易な構成にして消費電力を抑えている。このためバッテリの替わりに受信電波から電力を発生させる電源発生回路４０４を備えている。ここでは、エラー内容の表示として、プリンタ６０３の用紙切れを表すＬＥＤ４０５、プリンタ６０３のインク切れを表すＬＥＤ４０６、コインベンダ６０４の金銭受入満杯を表すＬＥＤ４０７、その他のエラーを表すＬＥＤ４０８を備えている。
【００２６】
自動販売機型プリント供給装置は装置エラーが発生したら、プリンタ６０３の用紙切れ、プリンタ６０３のインク切れ、コインベンダ６０４の金銭受入満杯、これら以外はその他のエラーとしてエラーコード情報を生成してエラーデータを簡易端末装置４００へ送信する。簡易端末装置４００は、エラーデータを受信すると、受信電波のエネルギーから電源を発生して各回路を動作させ、該当するエラーのＬＥＤだけを点灯させる。この時、自動販売機型プリント供給装置は、管理者等によって装置エラーへの対処が行なわれるまで、簡易端末装置４００へエラーデータの送信を続けることで、同時に簡易端末装置４００へ受信電波エネルギーを供給することができるので、簡易端末装置４００はエラー表示を継続することができる。
【００２７】
図５は本発明の第２の実施例の自動販売機型プリント供給装置の簡易端末装置の斜視図を示している。エラー表示を簡略化すると共にバッテリを備えていないため、更に小型軽量化している。
【００２８】
尚、装置エラーを認識できる範囲を狭めるならば、特定小電力型の無線通信回路に限定する必要はない。
【００２９】
以上、説明したように本発明の第２の実施例によれば、自動販売機型プリント供給装置に消耗品（用紙やインク）切れ等の装置エラーが発生したら直ちに設置先の管理者（店舗の従業員）に認識させることができる。また、簡易端末装置のバッテリを不要にできる。
【００３０】
本発明のいくつかの実施例を説明したが、当業者であれば、本発明の趣旨と範囲は本明細書内の特定の説明と図に限定されるものではなく、本願特許請求の範囲に全て述べられた様々な修正と変更に及ぶことが理解されるであろう。
【００３１】
以下に、本発明の実施態様の例を以下に列挙する。
〔実施態様１〕  特定装置の装置状態を受信可能な特定小電力型の無線通信手段と、前記無線通信手段による受信内容から、前記特定装置のエラー内容を認識する認識手段と、前記特定装置のエラー内容を表示する表示手段とを備えることを特徴とする携帯型簡易端末装置。
【００３２】
〔実施態様２〕  前記携帯型簡易端末装置は、特定装置のエラー発生を音声により教示する音声教示手段をさらに備えることを特徴とする実施態様１に記載の携帯型簡易端末装置。
【００３３】
〔実施態様３〕  前記携帯型簡易端末装置は、前記無線通信手段による受信電波から電力を発生させる電源発生回路を備えることを特徴とする実施態様１または２に記載の携帯型簡易端末装置。
【００３４】
このように構成した携帯型簡易端末装置においては、消耗品（用紙やインク）切れ等の装置エラーが発生した場合に、直ちに設置先の管理者（店舗の従業員）は、装置の異常を認識することが可能となる。
【００３５】
〔実施態様４〕  実施態様１ないし３のいずれかに記載の携帯型簡易端末装置と、前記携帯型簡易端末装置と通信可能であって、装置エラーの内容を発信する無線送信手段を含むプリント供給装置と、を備えることを特徴とするプリント供給システム。
【００３６】
この場合は、店舗等の比較的限られた範囲で自動販売機型プリント供給装置の消耗品（用紙やインク）切れ等の装置エラー等を認識するプリント供給システムを提供できる。
以上説明したように本発明によれば、消耗品（用紙やインク）切れ等の装置エラーが発生したら直ちに設置先の管理者（店舗の従業員）に認識させることができる携帯型簡易端末装置を提供できる。
【図面の簡単な説明】
【００３７】
【図１】本発明の第１の実施例の自動販売機型プリント供給システムおよび簡易端末装置の構成を示すブロック図である。
【図２】本発明の第１の実施例の自動販売機型プリント供給装置のエラーコード情報の生成を示すブロック図である。
【図３】本発明の第１の実施例の自動販売機型プリント供給システムの簡易端末装置の斜視図である。
【図４】本発明の第２の実施例の自動販売機型プリント供給システムの簡易端末装置の構成を示すブロック図である。
【図５】本発明の第２の実施例の自動販売機型プリント供給システムの簡易端末装置の斜視図である。
【図６】本発明に係る携帯型簡易端末装置に適用可能な自動販売機型プリント供給装置の斜視図である。
【図７】本発明に係る携帯型簡易端末装置に適用可能な自動販売機型プリント供給装置の構成を示すブロック図である。
【符号の説明】
【００３８】
１００    簡易端末装置
１０１    無線通信装置（簡易端末装置側）
１０２    処理装置
１０３    表示器
１０４    ブザー
１０５    バッテリ
１１０    無線通信装置（プリント供給装置側）
４００    簡易端末装置
４０１    受信アンテナ
４０２    通信回路
４０３    処理回路
４０４    電源発生回路
４０５    ＬＥＤ
４０６    ＬＥＤ
４０７    ＬＥＤ
４０８    ＬＥＤ
６００    筐体
６０１    タッチパネル付モニタ
６０２    コンピュータ
６０３    プリンタ
６０４    コインベンダ
６０５    スキャナ
６０６    カメラ
６０７    モデム
６０８    無停電電源
６１０    出力口
６２０    記憶媒体
６３０    サーバ
【図１】
2005033569.tif 000003
【図２】
2005033569.tif 000004
【図３】
2005033569.tif 000005
【図４】
2005033569.tif 000006
【図５】
2005033569.tif 000007
【図６】
2005033569.tif 000008
【図７】
2005033569.tif 000009